(57)【要約】【課題】垂直な壁面や急峻な法面などの略垂直面に植物を植え付けて植栽を形成し、潅水などのメンテナンスを省力化する。【解決手段】潅水用開口１２を有するコンテナ１０の内周面に沿ってその内周面に透水性不織布製吸水・保水シート３０を敷き、透水性不織布からなる導水布３１及び通気性素材の通気筒５０を配置して、土壌を充填し、植栽用開口２０を設けたコンテナ上蓋を固定する。ポットなどで育成した苗を、植栽開口の吸水・保水シートに切込みを入れて植え込み、コンテナを壁面などに配置して、給水配管の給水孔の上から導水布を巻き付け、その潅水用孔から導水布を経て、上記吸水・保水シートを介してコンテナ内の土壌に潅水する【選択図】        図１
2004173564.tif 000002
【特許請求の範囲】
【請求項１】
一側面に開口を有する土壌容器となるコンテナ、該コンテナ内周面に沿ってその内周面を覆う透水性不織布からなる吸水・保水シート、上記開口を通して外部の給水システムからの水分を該不織布に導く透水性不織布からなる導水体、コンテナ内にその立設方向に沿って適宜の間隔で配置される通気性の外周壁からなる通気筒、及び苗を植え込む開口を設けたコンテナ上蓋から構成されてなる、
ことを特徴とする壁面緑化用植生コンテナ。
【請求項２】
上記給水システムが、立設されたコンテナ上方に沿って配置された潅水用配管からなり、その潅水用孔から上記導水体及び吸水・保水シートを介して土壌に潅水する、ことを特徴とする請求項１記載の壁面緑化用植生コンテナ。
【請求項３】
植生コンテナの相対する２辺の前後周縁を支持するガイドレール状のフレームにより構成され、複数の植生コンテナを配列して支持することを特徴とする壁面緑化用植生コンテナの支持フレーム。
【発明の詳細な説明】
【０００１】
【発明が属する技術分野】
垂直な建築物壁面や土木構築物などの傾斜の強い法面に植生を形成するための植物育成手段に関する。
【０００２】
【従来の技術】
近年、都市と地方とを問わず住まいの身近に植物を植えて居住環境の緑化を図ることが広く行なわれるようになり、いわゆるガーデニングが普及を見ているが、住宅事情から植栽を形成するに十分なスペースを確保することは難しく、また、より身近にこれらの好む植物を植える植栽環境を整えることは一層困難である。  また、これらの身近な居住環境に限らず、道路や土木構築物の壁面や急峻な法面も周囲との調和を図るため緑化することが望まれることも少なくないが、やはり適切な植物を植え込み、植栽を形成するにはスペース上も潅水や土壌／施肥などの点でも植栽条件を十分な条件を確保することが難しい。
【０００３】
このような要請に応えるため、種々の手法、手段が提案されており、これらの垂直面などに植生を形成する手段としていわゆるプランターの一形態として、壁面に立体的に取り付けるものが提案されている。
例えば、図５、６に示すものはその一例であるが、プラスチック製の箱状のプランター本体１、上蓋２からなり、本体内に培養土４などの土壌を充填してその上から上蓋をはめ込み、固定する。
上蓋には苗５を植え込む穴６が設けられていて、苗を植え込んでから苗の固定と土止めのためスポンジ状のパッド３により穴に蓋をする。植付け後、潅水して苗を育て、根が張ってきたら、図６に示すように立ててラック７にセットしてフック８などにより壁９に沿って掛け吊りしたり、或いは壁面などに支持具により固定したり、立て掛けたりすることにより、構築物の垂直な立体空間を利用して植生を形成することができる。
【０００４】
しかしながら、この方法によると上記のように垂直な面を利用することができるものの、なお、植物の成長に欠かせない潅水条件と根に対する通気性とのバランスが十分とはいえない。
植付け後の苗の育成には、プランターを水平に置いて植え込み、穴を蓋するスポンジパッド上から潅水して水を浸透させることができるが、一旦垂直に近い角度で立てた場合には、図示するようにプランターの一面の開口１１から潅水することとなるため十分に水分が行き渡ることは困難であり、特に図６のように上下に重ねて設置した場合には、下層のプランターにまで十分に水分を供給することはできない。また、プランター内の土壌には専用の軽量な土壌を用いるが、それでも重力の作用により下方に向けて圧密されやすく、下層の土壌はその結果通気性が不足することとなる。本来プランターとしては、周囲が通気性のないプラスチック製の構造で囲まれるために通気性が乏しくなることは避けられないが、垂直に立てて設置する場合には内部に充填した土壌が漏れ出したり、押し出されることを防止するため、植付け個所となるスポンジパッド以外の部分は、いわば密閉構造となり、図に見られる潅水用の開口から離れた底部に近い下層では、植物に必要な通気性が確保できない状態となる。
【０００５】
一方上方の苗に対しては中の土壌の沈下に従って空隙ができやすく、植付け位置が当初の位置からずれたり、露出するようになる。
このようになると、潅水用の開口から水分が失われて、これら最上層は逆に水分不足となりやすい。
このことは、植付け後の潅水を雨水に頼る場合や、上から潅水するのみの通常の潅水法による場合には避けられない問題となる。
【従来技術】
【特許許文献１】特開平８−１７２９２１号公報
これに対して、特開平８−１７２９２１号公報に記載のように、ブランターを縦長の断面形状としてその下方に貯水部を形成すると共に、低部に近く貯水部に近接した位置に多孔性の通気体を配置して根に対する酸素補給を行なうようにすることが提案されている。
しかしながら、この方法の応用範囲はプランターなどの植生用容器の上から植え込む構造に限られ、垂直に近い壁面などに沿って植物を植え込む場合には上下方向に水分を均一に保つことは難しく、またこれらのプランターを積層して広い植生面を形成することはできない。
すなわち、これら壁面などの垂直な面に沿った植付け培地の形成には、これらの植付け土壌の上下層での潅水及び土壌中の水分の維持と通気性の確保という、時には相反する条件を両立させる必要がある。
【０００６】
【発明が解決しようとする課題】
垂直な壁面や急峻な法面などに設置して、略垂直面に植物を植え付けて育成可能であり、そのための土壌を保持すると共に植え付けた植物に対して適度の水分を保持すると共に通気性を保ち、かつ格別の人為操作を要することなく潅水を行って植栽育成を可能とする。
【０００７】
【課題を解決するための手段】
本発明は、一側面に開口を有する土壌容器となるコンテナ、該コンテナ内周面に沿ってその内周面を覆う透水性不織布からなる吸水・保水シート、上記開口を通して外部の給水システムからの水分を該不織布に導く透水性不織布からなる導水体、コンテナ内にその立設方向に沿って適宜の間隔で配置される通気性の外周壁からなる通気筒、及び苗を植え込む開口を設けたコンテナ上蓋から構成されてなる、
ことを特徴とする壁面緑化用植生コンテナであり、上記給水システムが、立設されたコンテナ上方に沿って配置された潅水用配管からなり、その潅水用孔から上記導水体及び吸水・保水シートを介して土壌に潅水することにより、均一一様な潅水が可能で、かつ、メンテナンスを容易としてものである。
また、植生コンテナの相対する２辺の前後周縁を支持するガイドレール状のフレームにより構成した壁面緑化用植生コンテナの支持フレームを用いることにより、垂直な壁面上に多数配置した植生コンテナの支持及びメンテナンスの便を向上したものである。
【０００８】
【発明の実施の形態】
図１に本発明の壁面植生コンテナの基本構成を示す。
図において、１０はプラスチック製などの素材からなるコンテナで、比較的扁平な形状の土壌収納容器であって、扁平な形状のほか格別にいわゆるプランターと変わりはない。
２０は、比較的に大きな植栽用の開口を形成した蓋であって、コンテナの一面に嵌合して固定される。
３０は、通気性と透水性を有する比較的厚手の不織布からなる潅水用の吸水・保水シートであって、コンテナの内面に沿って敷き込み、その略全内周面を覆う面積とする。このため、シート状のまま折り込んで、コンテナ内周面に沿わせて配置してもよいが、コンテナの各面に沿った展開図を作成して必要な面のみに接するように裁断しておくことができる。
４０は外周に多数の孔を形成するなどして通気性を持たせたプラスチック製などの耐食性素材からなる中空の筒状体からなる通気筒５０で、通気性を保持するうえでメッシュ状の素材から構成しても良い。要はコンテナ内の土壌の圧力で圧潰しないだけの強度があればよく、プラスチック製のメッシュのシートを巻いて形成することもできる。
３１は、３０と同様の透水性の不織布からなる導水体である。
【０００９】
これらを組み立てるには、図２及び図４（Ａ）〜（Ｄ）に示すようにコンテナ１０の内周面に沿って吸水・保水シート３０を敷き込み、導水用不織布３１をコンテナ内の吸水・保水シートにその一部を重ねて配置すると共に他端を潅水孔１２の外に引き出しておく。
この導水体の他端は植え込み後、コンテナを壁面などに垂直にセットする際に潅水用配管７０に設けた潅水用孔の上から重ねて巻き付け、クリップなどで固定する。
さらに、コンテナを立てる方向に沿って適宜の間隔で通気筒５０を立てて配置し、その上から軽量土壌などの予め成分、特性を調整した土壌４を充填する。
土壌充填後、上蓋２０を嵌合して土壌が漏れ出さないように固定する。
植生を形成する苗５は、土壌成分や潅水条件などを予め調整すれば特に種類は限定されないが、植え込むまで予めいわゆるピニールポットなどで植え込んで育成されたものが簡便で扱いやすい。
ポットを外して、上蓋に設けた植栽用の開口に露出している不織布を切り込み、或いは予め十字形などの切込みを入れておいても良いが、植え込み個所を作って、その個所からコンテナ内の土壌に苗を植え込む。
植え込み後は、不織布の切り込み部分を押し込んで閉じれば、その反発力で開口は適宜に塞がれ、また、苗の生長に従って、根が張るために土壌が固定されて外に漏れ出すことはない。
【００１０】
植付け後は、コンテナを立てて、壁面などに沿って配置するが、その固定手段としてコンテナ上部に係合するフックによって掛け吊りしたり、或いは、壁面に沿ってフレームにより固定して壁面に配置するなどしても良い。
広い壁面を覆う植栽を形成する場合などのように、多数のコンテナを平面状に配置する場合には、これらのコンテナの支持固定が困難であるばかりでなく、これらの植栽の維持・メンテナンスのために手入れが容易にできる必要がある。
このため、ガイドレール状のフレームからなるラックによって配置することができる。
図２は、ガイドレール状のフレーム６０を設けたラックにセットされたコンテナの状態を示す。フレームは、断面Ｌ字状でコンテナの上下２辺の前後縁に沿ってコンテナを支持し、横方向に配列することができる。無論、これらのガイドレールは垂直方向に設けることもできるが、コンテナの出し入れ操作性からは一般に横方向・水平の配置が扱いやすい。
図２に示すように、ガイドレール状のフレームにコンテナを支持した状態で、水平に配置された潅水用の配管７０の潅水孔上に導水体３１を巻き付けてセットすることにより、全ての植栽コンテナに対して潅水することができる。
図３にセットされた状態のコンテナの断面を示す。
コンテナを配置するときは、このガイドレール状フレーム６０間にコンテナを入れて押せば、コンテナはレールに沿って滑り、次々に送り込んでガイドレール延長端まで配置することができる。また、コンテナを交換するときには逆に、コンテナをレールに沿って引き出せば、容易にコンテナの配置、交換作業を行なうことができる。
このコンテナ配置の手法は、壁面などへの取り付けの場合に限らず、コンテナの輸送や苗育成の際にも、コンテナを水平にする配置でガイドレールを利用すれば、コンテナを一定の上下間隔を設けた状態で積層して配置することができるため、スペースが有効に利用できる。
【００１１】
本発明の植生コンテナにおいては、壁面など沿って垂直に配置された状態で潅水配管７０をコンテナに沿って配置することにより、上記のようにコンテナ内に一様に潅水することができる。
従って、上記のように多数の植生コンテナが垂直面上に配置されている場合でも、その配列に沿って同様に潅水用配管を配置すれば、水平な各層ごとに潅水ラインが構成され、植栽の管理・維持が極めて容易に行うことができる。
給水システムの水源は、潅水ラインがこのように構成されることによって、極めて単純化され、水道から給水しても良いが、周囲の構築物屋上や集水構から集水した雨水をタンクなどに貯めておき、適宜に給水すれば上記の潅水ラインを通じて一斉に潅水することができ、メンテナンス上も経費がかからずに植生の育成ができる。
【００１２】
苗を植えた当初は、コンテナ表面が露出しているが、植物が生長するとコンテナ及びフレームなどの構築物を覆って、全体が植生に覆われた状態となり、花が咲けば立体的に花に覆われた風景が現出する。
本発明においては、コンテナ内の土壌に対して吸水・保水シートがコンテナ内面に沿って介在しているため、外部環境の温度変化に対して著しく緩和する作用を齎し、またその透水性によって潅水開口から引き込まれた導水体を経て緩やかに給水することができる。従来のように上から水を掛けるのみの潅水法によると土壌中に水の通りやすい経路が形成されるため、土壌全体に水分が行き渡るまでに至らずに水が抜けてしまい、潅水不足になったり、或いはこれに対処するため過度に潅水する結果、土壌中の肥料分などが抜けて、肥料不足に陥りやすいが、本発明のように透水性の不織布からなる導水布からさらにコンテナ内面に沿って配置された透水性不織布からなる吸水・保水シートを介して給水すると、土壌への浸透力に合わせた潅水が可能となり、水が無駄にならないばかりか、植物にとって適度の水分の保持が可能となる。
図中の通気筒５０は、これらコンテナのいわば密閉された環境に対して、土壌に対して上下縦方向に大気に接する環境を提供する。このため、コンテナ下層の植物に対しても、十分に外気からの酸素が供給されるため、根詰まり、根腐れなどの植物の生長を阻害する原因が除かれ、また、長い間に上方からの重力による圧密により、土壌が締まってきても根はこれらの通気筒に沿って成長することができるため、著しい損傷を生じることは防止される。
【００１３】
【実施例】
植生コンテナ本体としては、プラスチック製で縦、横、厚さがそれぞれ、３０×３０×６ｃｍの適宜の容器を用意した。（以下、図６（Ａ）〜（Ｄ）参照）
密閉可能な上蓋に４つの植栽口をあけ、透水性不織布からなる給水／保水シートを敷き込んで空気を導入するための通気管としてプラスチック製のメッシュパイプを配置し、導水布を給水／保水シートに沿って配置すると共に潅水用配管の潅水孔を覆って巻き付け、クリップで固定した（図６（Ａ），（Ｂ））。
コンテナ本体内容積は５リットル程度で、軽量で保水性の良い人工土壌を満遍なく充填・封入して植生土壌を形成し、さらに、上に保水／給水シートで覆って上蓋を固定した（図６（Ｃ））。
植え込む植物として、乾燥に強いハーブの一種として知られるローズマリーを選び、苗の植付けは、コンテナの上蓋の植付け開口の透水性不織布を十文字形に切り込み、ポット栽培苗をポットから抜いて、切り込みから植え込んだ（図６（Ｄ））。
【００１４】
植え込み当初潅水した後は、苗の定着状態を確認してそのまま屋外環境で潅水配管を通じて適宜潅水して育成したが、保水性と共に適度の通気性があり、苗の定着・成長はよく、植物の育成条件が安定に保たれた。
図６（Ｄ）に、６ヶ月育成して成長して繁茂したローズマリーの状態を示す。
その他、同様の条件で若干湿潤な環境を好むシダの仲間のイノモトソウを試みたが、良好な育成結果が得られた。
【００１５】
【発明の効果】
本発明の植生コンテナは、垂直な壁面や急峻な傾斜面からなる建築物、例えば一般家屋などの外壁や周壁、或いは高速道路周囲の構築物側面などの緑化を可能とするものであり、その取り扱いの容易さ、管理施工の簡単であること、維持管理も手間がかからず長期間にわたって緑化状態を保つことが可能であるなど、都市居住環境の改善に寄与するものであり、また、安価、生産性が良いなどの工業的な特性を有しており，広く産業の発展、環境の改善に寄与するものである。
【図面の簡単な説明】
【図１】本発明の植生コンテナの基本的構成を示す説明図。
【図２】本発明の植生コンテナを組立てラックに配置した状態図。
【図３】本発明の植生コンテナの断面構造図。
【図４】本発明の植生コンテナにローズマリーを植え込む手順（Ａ）、（Ｂ）、（Ｃ）、（Ｄ）及び育成結果を示す。
【図５】従来例の垂直配置用プランター。
【図６】従来例の垂直配置用プランターの配置状態。
【符号の説明】
１  プランター
２  植栽口を設けた上蓋
３  スポンジパッド
４  人工土壌
５  苗
６  植え込み用開口
７  ラック
８  フック
９  壁
１１  潅水用開口
１０  植生コンテナ
１２  潅水用開口
２０  上蓋
３０  給水・保水シート
３１  導水布
５０  通気管
６０  ガイドレール
６１  ラック
７０  潅水配管
【図１】
2004173564.tif 000003
【図２】
2004173564.tif 000004
【図３】
2004173564.tif 000005
【図４】
2004173564.tif 000006
【図５】
2004173564.tif 000007
【図６】
2004173564.tif 000008